(57)【特許請求の範囲】
【請求項１】
ベースと、前記ベースに接続される側板と、前記側板に設けられる扉とを備える折り畳み式容器であって、
前記扉は、上端から下端に向かうにつれて幅が小さくなる第１の部分を少なくとも含み、
前記第１の部分の左端壁および右端壁にそれぞれ第１の噛合部が設けられ、
前記側板に、前記第１の噛合部と噛み合う第１の噛合構造が設けられ、
前記扉は、第２の部分をさらに含み、前記第２の部分の最も広い幅は前記第１の部分の最も広い幅よりも幅が大きく、
前記第２の部分に第２の噛合部が設けられ、
前記側板に、前記第２の噛合部と噛み合う第２の噛合構造が設けられる
ことを特徴とする折り畳み式容器。
【請求項２】
請求項１に記載の折り畳み式容器であって、
前記第２の噛合部は、前記第２の部分の底部および/または端壁に設けられることを特
徴とする折り畳み式容器。
【請求項３】
請求項１に記載の折り畳み式容器であって、
前記第２の部分の最も広い幅が前記第１の部分の最も広い幅の１.２〜１.５倍であることを特徴とする折り畳み式容器。
【請求項４】
請求項１に記載の折り畳み式容器であって、
前記第２の部分内に補強材が設けられることを特徴とする折り畳み式容器。
【請求項５】
請求項１に記載の折り畳み式容器であって、
前記第２の噛合部は、前記第２の部分の底部から下方へ一体に延出する突出部を有し、
前記第２の噛合構造は、前記突出部を収納するための凹部を有することを特徴とする折り畳み式容器。
【請求項６】
請求項１に記載の折り畳み式容器であって、
前記第２の噛合部と前記第１の噛合部とは、前記扉をその面積が最大の２つの側面と平行な平面に投影させる場合、前記第２の噛合部の正投影の面積が前記第１の噛合部の正投影の面積よりも大きいような関係を満足するようになっていることを特徴とする折り畳み式容器。
【請求項７】
請求項１〜６のいずれか１項に記載の折り畳み式容器であって、
前記側板は、対向する一対の長側板および対向する一対の短側板を含み、
前記扉は、前記短側板のうちの１つに設けられていることを特徴とする折り畳み式容器。
【請求項８】
請求項１〜６のいずれか１項に記載の折り畳み式容器であって、
前記扉の底部にヒンジが設けられ、前記扉と前記側板とは前記ヒンジによって接続されることを特徴とする折り畳み式容器。
【請求項９】
ベースと、前記ベースに接続される側板と、前記側板に設けられる扉とを備える折り畳み式容器であって、
前記扉は、前記扉の下部に位置する第１の部分と、前記扉の上部に位置する第２の部分
とを含み、
前記第２の部分の最も広い幅は、前記第１の部分の最も広い幅よりも幅が大きくなり、
前記第１の部分の正投影は、台形となっており、前記第１の部分の両端壁の正投影は、前記台形の両側の辺となり、
前記第１の部分の両端壁に第１の噛合部が設けられ、前記第２の部分の底部および/ま
たは端壁に第２の噛合部が設けられ、
前記側板に、前記第１の噛合部および前記第２の噛合部とそれぞれ噛み合う第１の噛合構造および第２の噛合構造が設けられることを特徴とする折り畳み式容器。
【発明の詳細な説明】
【技術分野】
【０００１】
本発明は、物流運輸分野に関し、具体的には折り畳み式容器に関する。
【背景技術】
【０００２】
本発明に係る大型容器（折り畳みまたは非折り畳み構造）は、物流用箱であり、その容積が一般的に６００Ｌ以上であり、各業界の物流運輸および倉庫貯蔵に幅広く応用されている。容積が小さな容器に対して、容積が６００Ｌ以上の大型容器は、通常、機械的要件に対する要求が高く、かつ耐力構造の設計がより複雑となる。
【０００３】
従来の大型の折り畳み式容器は、例えば１２００×１０００×１０００、１２２０×１２２０×１１７０などのような規格が存在し、その寸法が相対的に大きいので、容器から貨物を容易に取り出すために、通常は側板において中間部より上方に扉が設けられることにより、操作をより容易に行うことができる。しかし、従来の大型容器の側板に扉が設けられる場合、その側板と扉とのヒンジ接続方式が単一であり、側板に扉が設けられると貨物を容易に取り出すことができる一方、扉が設けられる側板の強度に対してある程度の損失が生じる。側板に扉が設けられると、側板全体の耐変形性が弱くなり、これに伴って、筐体の側板は、筐体が満負荷の状態となった後に筐体の外縁に向かって膨らまれ、このような変形によって製品そのものの安全性に対して不良影響を与えるだけではなく、運輸においても、寸法が一定のコンテナに対して、変形によって箱詰め時の容器と容器との間の隙間が小さくなりまたはゼロになり、一定の数量の容器をコンテナ内に装入することができなくなる。
【０００４】
例えば、国際公開公報ＷＯ２０１００３１４５６号に開示されたように、その容器の側板に扉が設けられると、扉と側板とは扉と側板とのガイドのみによって接続されるので、その構造が単一であり、そして、側板の肉厚に対して扉の厚さが薄く、強度も弱く、これにより箱詰め時に貨物からの張力によって側板を変形させやすくなり、この変形によって側板における積層の位置制限が無効となり、上方に積層される容器の位置を制限することができなく、容器の運輸または貯蔵が不安全となるおそれがあり、そして容器の側板同士の隙間が大きくなり、これにより貯蔵のコストを間接的に増加させる。そして、側板に略矩形状の扉が設けられると、扉と隣接する両側の側板が独立したものとなり、この部分の側板は、縦方向に長く、横方向に短いので、その耐曲折性・耐圧力性が弱く、使用中に変形または破裂しやすく、これにより製品の損失が増加し、製品のメンテナンスコストを直接的に向上させる。また、側板に略矩形状の扉が設けられる場合、側板と扉のヒンジの噛合は基本的に垂直に配列され（すなわち、噛合は基本的に同一の垂直線上に存在する）、このように配置される場合、扉の内壁は、貨物からの外部への張力によって噛合の垂直線に沿う軸心の周りに回転変形し易くなり（扉の中間部が両端に対して外部へ変形して突起する）、そして、扉と側板との噛合の公差隙間が存在しているので、扉と側板の双方の変形が重ね合わせられ、これにより扉の変形傾向がより明らかになり、このような要素により、側板と扉の破損率が向上されるとともに、物流および倉庫貯蔵のコストを向上させる。
【発明の開示】
【発明が解決しようとする課題】
【０００５】
本発明は、上記のような従来の問題を解決するために折り畳み式容器を提供することを目的とする。
【課題を解決するための手段】
【０００６】
上記の目的を実現するために、本発明の１つの側面によれば、ベースと、前記ベースに接続される側板と、前記側板に設けられる扉とを備える折り畳み式容器であって、前記扉は、上端から下端に向かうにつれて幅が小さくなる第１の部分を少なくとも含み、前記第１の部分の左端壁および右端壁にそれぞれ第１の噛合部が設けられ、前記側板に、前記第１の噛合部と噛み合う第１の噛合構造が設けられる折り畳み式容器を提供する。
【０００７】
好ましくは、前記第１の部分の正投影は、台形となっており、前記第１の部分の両端壁の正投影は、前記台形の両側の辺となる。
【０００８】
好ましくは、前記第１の噛合部は、前記第１の部分の端壁から外方へ一体に延出するとともに、第１の垂直ブロック、第２の垂直ブロックおよび水平ブロックを含み、前記第１の垂直ブロックおよび前記水平ブロックは、前記第１の部分の端壁から外方へ一体に延出するとともに互いに直交しており、前記第２の垂直ブロックは、前記第１の垂直ブロックおよび前記水平ブロックの双方に直交している。
【０００９】
好ましくは、前記第１の垂直ブロック、第２の垂直ブロックおよび水平ブロックは、一体に形成されている。
【００１０】
好ましくは、前記扉は、前記第１の部分よりも幅が大きい第２の部分をさらに含み、前記第２の部分に第２の噛合部が設けられ、前記側板に、前記第２の噛合部と噛み合う第２の噛合構造が設けられる。
【００１１】
好ましくは、前記第１の部分は、前記扉の上部に位置し、前記第２の部分は、前記扉の下部に位置する。
【００１２】
好ましくは、前記第２の噛合部は、前記第２の部分の底部および/または端壁に設けられる。
【００１３】
好ましくは、前記扉は、前記第２の部分よりも幅が大きい第３の部分をさらに含み、前記第３の部分に噛合部が設けられる。
【００１４】
好ましくは、前記第２の部分の幅が前記第１の部分の幅の１.２〜１.５倍である。
【００１５】
好ましくは、前記扉および前記側板は、滑らかで平坦な外面を有する。
【００１６】
好ましくは、前記第１の部分の高さが前記第２の部分の高さの１〜５９倍である。
【００１７】
好ましくは、前記第１の部分の高さが前記第２の部分の高さの１〜１１倍である。
【００１８】
好ましくは、前記第２の部分内に補強材が設けられる。
【００１９】
好ましくは、前記補強材の幅が前記第２の部分の幅と等しくなる。
【００２０】
好ましくは、前記補強材は、鋼管およびアルミ押出材によって形成される。
【００２１】
好ましくは、前記第２の噛合部は、前記第２の部分の底部から下方へ一体に延出する突出部を有し、前記第２の噛合構造は、前記突出部を収納するための凹部を有する。
【００２２】
好ましくは、前記第２の噛合部は、突出部および突出ブロックを有し、前記突出部は、第２の部分の底部から下方へ一体に延出し、前記突出ブロックは、前記突出部の両側から外方へ一体に延出するとともに、前記第１の部分の底部と一体に接続され、前記第２の噛合構造は、仕切り板および前記仕切り板によって区画されたギャビティーを有し、前記仕切り板の中間部に溝が設けられ、前記溝は、前記突出部を収納するためのものであり、前記ギャビティーは、前記突出ブロックを収納するためのものである。
【００２３】
好ましくは、前記第２の噛合部は、第２の部分の底部から下方へ一体に延出する複数の突出ブロックを有し、前記突出ブロックに溝が設けられ、当該溝は、同一の直線上に存在しており、前記第１の噛合構造は、凹部を有し、各々の凹部の中間部に仕切り板が設けられ、前記仕切り板は、前記溝を収納するためのものである。
【００２４】
好ましくは、前記第２の噛合部と前記第１の噛合部とは、前記扉をその面積が最大の２つの側面と平行な平面に投影させる場合、前記第２の噛合部の正投影の面積が前記第１の噛合部の正投影の面積よりも大きいような関係を満足するようになっている。
好ましくは、前記扉が閉状態となったときに、前記扉と前記側板との間に均一の隙間が存在している。
【００２５】
好ましくは、前記側板は、対向する一対の長側板および対向する一対の短側板を含み、前記扉は、前記短側板のうちの１つに設けられている。
【００２６】
好ましくは、前記扉の底部にヒンジが設けられ、前記扉と前記側板とは前記ヒンジによって接続される。
【００２７】
また、本発明の別の側面によれば、ベースと、前記ベースに接続される側板と、前記側板に設けられる扉とを備える折り畳み式容器であって、前記扉は、前記扉の下部に位置する第１の部分と、前記扉の上部に位置する第２の部分とを含み、前記第２の部分は、前記第１の部分よりも幅が大きくなり、前記第１の部分の正投影は、台形となっており、前記第１の部分の両端壁の正投影は、前記台形の両側の辺となり、前記第１の部分の底部および/または端壁に第１の噛合部が設けられ、前記第２の部分の両端壁に第１２の噛合部が設けられ、前記側板に、前記第１の噛合部および前記第２の噛合部とそれぞれ噛み合う第１の噛合構造および第２の噛合構造が設けられる折り畳み式容器を提供する。
【発明の効果】
【００２８】
本発明の容器によれば、側板の上端の全体性を最大限に保持し、上端といった剛性が相対的に高い本体を延長させることにより、満負荷状態での貨物による張力に起因する扉の変形を最大限に抑制し、容器全体において側板の変形を抑制することができ、側板の変形に起因する容器のコンテナへの積み上げなどが困難となることを効果的に解決することができる。使用の過程において、扉の操作が簡単であり、容器全体が満負荷となったときに、扉の外方への変形が小さく、容器の運送または積み上げに必要な空間を大幅に減少させることができる。
【図面の簡単な説明】
【００２９】
【図１】本発明の１つの実施例に係る折り畳み式容器の扉が閉じられた状態を示す斜視図である。
【図２】本発明の１つの実施例に係る折り畳み式容器の扉が開けられた状態ことを示す斜視図である。
【図３】図２におけるＡ部分の拡大図である。
【図４】本発明の１つの実施例に係る側板を示す分解斜視図である。
【図５】本発明の１つの実施例に係る扉が取り外された側板を示す斜視図である。
【図６】図５におけるＢ１部分の拡大図である。
【図６Ａ】図５におけるＢ２部分の拡大図である。
【図７】本発明の１つの実施例に係る側板を示す断面図である。
【図８】本発明の１つの実施例に係る扉が閉状態となる側板を示す部分断面図である。
【図９】図８におけるＣ部分の拡大図である。
【図１０】本発明の別の実施例に係る側板を示す斜視図である。
【図１１】本発明の別の実施例に係る側板を示す分解斜視図である。
【図１２】本発明の別の実施例に係る扉を示す斜視図である。
【図１３】図１２におけるＤ部分の拡大図である。
【図１４】本発明の別の実施例に係る扉が取り外された側板を示す斜視図である。
【図１５】図１４におけるＥ部分の拡大図である。
【図１６】本発明の別の実施例に係る側板を示す部分断面図である。
【図１７】図１６におけるＦ部分の拡大図である。
【発明を実施するための形態】
【００３０】
以下、本発明の目的、特徴および利点をより明確に理解できるように、図面を参照しつつ本発明の好適な実施例について詳細に説明する。なお、図示した実施例は、本発明の技術方案の実質的な精神を説明するためのものに過ぎなく、本発明の保護範囲を制限するものではない。
【００３１】
以下、本明細書に使用される技術用語について説明する。
【００３２】
本発明における側板の両端は、側板が直立状態にある場合の左端および右端を意味し、扉の両端は、扉が閉状態にある場合の左端および右端を意味する。
本発明における台形は、台形のそれぞれの辺同士の接続箇所が丸め加工された形状、および台形の両側の辺が曲線である形状を含む。
【００３３】
本発明における正投影は、扉をその面積が最大の２つの側面と平行な平面に投影させることを意味する。
【００３４】
本発明における両端は、特に説明しない限り、左端および右端を意味する。
【００３５】
本発明における折り畳み式容器は、通常、ベースと、ベースに接続される側板と、側板に設けられる扉とを備える。また、扉は、上端から下端に向かうにつれて幅が小さくなる第１の部分を少なくとも含み、当該第１の部分の左端壁および右端壁にそれぞれ第１の噛合部が設けられる。また、側板には当該第１の噛合部と噛み合う第１の噛合構造が設けられている。
【００３６】
以下、図１〜図９を参照しつつ本発明の１つの実施形態を説明する。
【００３７】
図１は、本発明に係る折り畳み式容器１００の扉が閉じられた状態を示す斜視図である。図２は、本発明に係る折り畳み式容器１００の扉が開けられた状態を示す斜視図であり、図３は、図２におけるＡ部分の拡大図である。図１〜図３に示すように、折り畳み式容器１００は、ベース１と、対向する一対の側板２と、対向する一対の側板３とを備え、そのうち、側板２は長さが長い長側板であり、側板３は長さが短い短側板であり、そのうちの１つの側板３には、扉３１が設けられる。
【００３８】
扉３１は、その下部に位置する第１の部分３１２（すなわち、扉が閉じられたときに下方に位置する部分）と、その上部に位置する第２の部分３１１（すなわち、扉が閉じられたときに上方に位置する部分）とを含み、そのうち、第２の部分３１１は、第１の部分３１２よりも幅が広く、図４に示すように、第２の部分３１１の幅ｄ１が第１の部分３１２の幅ｄ２の１.２〜１.５倍であることが好ましい。
【００３９】
図４は、扉３１が設けられる側板３を示す分解図であり、図５は、扉３１が取り外された側板３を示す斜視図であり、図６は、図５におけるＢ部分の拡大図である。図４-図６に示すように、扉３１の底部には、ヒンジ３２が設けられ、側板３において扉３１と対応する位置に開口３０が設けられ、開口３０の底部には、ヒンジ溝３３が設けられ、ヒンジ３２の一部がヒンジ溝３３に配置され、扉３１と側板３とはヒンジ３２によって接続される。これにより、扉３１は、側板３に対してヒンジ３２の周りに回動して開閉することができる。なお、ヒンジ３３の詳細については、中国発明特許ＣＮ１０２７５８５７２Ａに開示されたものと同様であるので、ここではその説明を省略する。
【００４０】
また、本実施例では、扉３１は、Ｔ字状となっており、第１の部分３１２と第２の部分３１１との間は、弧状の渡し部分によって接続されるように設けられることにより、第１の部分３１２および第２の部分３１１の側辺が曲線輪郭に形成される。
【００４１】
図２および図３に戻ると、扉３１の両端にそれぞれ第１の噛合部３１５と第２の噛合部３１４とが設けられており、そのうち、第２の噛合部３１４は、第２の部分３１１の底部に設けられ、第１の噛合部３１５は、第１の部分３１２の左、右端壁に設けられる。また、必要に応じて、第２の部分３１１の底部に複数の第２の噛合部３１４が設けられ、第１の部分３１２の左、右端壁にそれぞれ複数の第１の噛合部３１５が設けられてもよい。第１の部分３１２は、上端から下端に向かうにつれて幅が小さくなるように形成され、第１の噛合部３１５は、第１の部分３１２の左、右端壁に設けられている。
【００４２】
また、本実施例では、第１の部分３１２と第２の部分３１１とは曲線輪郭を形成するように接続されているので、第２の噛合部３１４および第１の噛合部３１５は、曲線輪郭に設けられている。
【００４３】
なお、本実施例では、第２の噛合部３１４は第２の部分３１１の底部に設けられているが、勿論、第２の噛合部３１４は第２の部分３１１の左、右端壁に設けられてもよい。
また、図５に示すように、側板３に扉３１を嵌合する開口３０が設けられ、開口３０の底部に複数のヒンジ穴３３が設けられ、ヒンジ３２は、その一部がヒンジ穴３２内に取り付けられるとともに、扉３１に接続されている。なお、ヒンジの詳細については、中国特許ＣＮ１０２７５８５７２Ａに開示されたものと同様であるので、ここではその説明を省略する。
【００４４】
しかし、本発明に係る折り畳み式容器は、上記の特許ＣＮ１０２７５８５７２Ａに開示されたヒンジ以外にそのほかの方式のヒンジを使用してもよく、当該ヒンジによって扉と側板とを接続する場合に扉を上方へ引き上げることにより扉を開閉することができればよい。このような機能を実現可能であるようなヒンジであれば、本発明に係る折り畳み式容器に使用することができる。勿論、上記の中国特許ＣＮ１０２７５８５７２Ａに開示されたヒンジと、本発明における第１の噛合部および第２の噛合部とを組み合わせて使用することにより、本発明の目的をよりよく実現することができる。
【００４５】
また、開口３０の両側には、第１の噛合部３１５と噛み合う第１の噛合構造３４２と、第２の噛合部３１４と噛み合う第２の噛合構造３４１とがそれぞれ設けられる。また、本実施例では、扉３１の両端の曲線輪郭と嵌めあうために、開口３０の両側に扉３１の曲線輪郭と対応する形状が形成されている。
【００４６】
図３に戻ると、図３に示すように、本実施例では、第２の部分３１１の左、右端壁には、第３の噛合部３１６がさらに設けられている。これと対応し、図５に示すように、側板３の上部における開口３０の両側に、第３の噛合部３１６と噛み合う第３の噛合構造３４３が設けられている。
【００４７】
図１に戻ると、本実施例では、扉３１が閉じられた状態において、扉３１の第２の部分３１１は、側板３の両端に最大限に延伸しているので、扉が閉状態となった時に扉３１が十分な強度を有することを保証することができる。
【００４８】
図３に戻ると、第２の噛合部３１４は、突出部３１４２および突出ブロック３１４１を含み、そのうち、突出部３１４２は、第２の部分３１の底部から下方へ一体的に延出する（図３に示す上方へ延出する）とともに、扉３１の外側面または内側面と平行となる。突出ブロック３１４１は、突出部３１４２の両側から外方へ一体的に延出するとともに、第２の部分３１の底部に一体的に接続されている。また、本実施例では、突出部３１４２の両側から外方に向かって３つの突出ブロック３１４１が一体的に延出しているので、突出部３１４２と突出ブロック３１４１とは、略「王」字状となるように形成されている。
【００４９】
また、図６に示すように、第２の噛合構造３４１は、第２の噛合部３１４と対応するように、３つの仕切り板３４１１を備え、３つの仕切り板３４１１によって３つのキャビティー３４１２が区画され、各々の仕切り板３４１１の中間部には、第２の噛合部３１４における突出部３４１２を嵌合するとともに突出部３１４１を収納するための溝３４１３が設けられ、キャビティ―３４１２は、第２の噛合部３１４の突出ブロック３１４１と係合するとともに突出ブロック３１４１を収納するためのものである。
【００５０】
図７は、本実施例の扉３１を示す断面図である。本実施例では、図７に示すように、第２の部分３１１内に補強材３１７が設けられている。また、補強部材３１７は、例えば鋼管またはアルミ押出材などの補強材料によって形成されることが好ましい。補強材３１７は、扉３１の強度をさらに補強することができるので、扉３１が容器内の物品による押圧によって変形されるときに扉３１の強度を保証することができる。
【００５１】
図８は、扉が閉状態となった側板３を示す部分断面図であり、図９は、図８におけるＣ部分の拡大図である。図８および図９に示すように、突出部３１４２は、複数の溝３４１３を貫通し、扉３１が閉状態から開状態へ変化し、または開状態から閉状態へ変化するときに、突出部３１４２は溝３４１３内に摺動することができ、突出ブロック３１４１は、キャビティー３４１２内に摺動することができ、かつ隣接する２つの仕切り板３４１１によって位置制限される。
【００５２】
図３に戻ると、第１の噛合部３１５は、第１の部分３１２の端壁から外方へ一体的に延出するとともに、第１の垂直ブロック３１５１、第２の垂直ブロック３１５２および水平ブロック３１５３を備えており、第２の垂直ブロック３１５２に２つの穴３１５４が設けられている。そのうち、第１の垂直ブロック３１５１および水平ブロック３１５３は、第１の部分３１２の端壁から外方へ一体的に延出するとともに、両者は互いに直交しており、第２の垂直ブロック３１５２は、第１の垂直ブロック３１５１および水平ブロック３１５３の双方に直交するようになっている。また、第１の垂直ブロック３１５１、第２の垂直ブロック３１５２および水平ブロック３１５３は、一体的に形成されている。
【００５３】
図６Ａは、図５におけるＢ２部分の拡大図である。以下、第１の噛合部３１５と噛み合う第１の噛合構造３４２について図６Ａを参照しながら説明する。図６Ａに示すように、第１の噛合構造３４２は、開口３０の両側に設けられるとともに、仕切り板３４２３、仕切り板３４２４、仕切り板３４２５および仕切り板３４２６を備えており、仕切り板３４２３および仕切り板３４２４は、開口３０の一方側から外方へ一体的に延出するとともに、仕切り板３４２５および仕切り板３４２６とともに固定溝３４２２および直溝３４２１を形成する。扉３１が閉状態となった場合、第１の垂直ブロック３１５１は直溝３４２１内に収納され、第２の垂直ブロック３１５２は固定溝３４２２内に収納されることにより、第１の噛合部３１５と第１の噛合構造３４２とをしっかりと噛み合わせる。
【００５４】
また、図１および図２に戻ると、扉３１を閉じようとする場合、扉３１を図２に示す状態から側板本体と略平行となるまで上方へ回動させた後、扉３１の上端部から下方へ押圧することにより、扉３１の第２の噛合部および第１の噛合部を側板３の第２の噛合構造および第１の噛合構造にそれぞれ噛み合わせることによって、扉３１の閉操作を完成する。また、扉３１の開操作は、上記と逆に行われる。
【００５５】
また、本実施例では、扉３１の両側は、曲線輪郭を有するように設けられているので、第２の噛合部３１４および第１の噛合部３１５が曲線輪郭に設置される。これにより、扉３１が閉状態となり、第２の噛合部３１４および第１の噛合部３１５がそれぞれ第２の噛合構造３４１および第１の噛合構造３４２に噛み合うと、第１の噛合部３１５と第１の噛合構造３４２との繋ぎ線も曲線となる。そのため、扉３１が容器３内の貨物による押圧によって変形した場合、扉３１の変形は複数の回転軸線の周りに回転する。そして、これらの回転軸線は同一の直線上に存在していないので、扉３１は容器３内の貨物による押圧によって損害され難くなる。そして、第２の部分３１内に補強材が設けられているので、扉３１の強さは大幅に補強される。さらに、第２の部分３１の両端は、側板３の両端までに最大限に延伸しているので、側板および扉の強度をさらに向上することができる。
【００５６】
また、本実施例では、扉と側板との噛合強度をより保証できるように、第２の部分３１に設けられる第２の噛合部３１４および第１の噛合部３１５は、扉３１をその面積が最大の２つの側面と平行な平面に投影させる場合、第１の噛合部の投影面積が第２の噛合部の投影面積よりも小さいような関係を満足する。これにより、第２の噛合部３１４と第２の噛合構造３４１との噛合強度をよりよく保証することができる。
【００５７】
本実施例では、第２の部分３１１および第１の部分３１２の形状はいずれも略台形となっているが、当然ながら、第２の部分３１１または第１の部分３１２のいずれか１つの形状を略台形に形成してもよい。
【００５８】
以下、図１０〜図１７を参照しつつ、本発明の容器の別の実施形態を説明する。
【００５９】
図１０は、本発明に係る容器の別の実施形態における側板３Ａを示す斜視図であり、図１１は、本発明に係る容器の別の実施形態における側板３Ａを示す分解図である。図１０および図１１に示すように、側板３Ａには扉３１Ａが設けられ、扉３１Ａは、その下部に位置する第１の部分３１２Ａと、その上部に位置する第２の部分３１１Ａとを含む。第２の部分３１１Ａの底部には、第２の噛合部３１４Ａが設けられ、第１の部分３１２Ａの左端壁および右端壁には、第１の噛合部３１５Ａがそれぞれ設けられている。扉３１Ａの底部（すなわち、第１の部分３１２Ａの底部）には、ヒンジ３３が設けられ、扉３１Ａは、ヒンジ３３によって側板３Ａに接続されている。なお、ヒンジの詳細については、中国特許ＣＮ１０２７５８  ５７２Ａに開示されたものと同様であるので、ここではその説明を省略する。
【００６０】
図１２は、扉３１Ａの斜視図であり、図１３は、図１２におけるＤ部分の拡大図である。図１２および図１３に示すように、第２の噛合部３１４Ａは、３つの突出ブロック３１４１Ａを有し、突出ブロック３１４１Ａは、第２の部分３１４Ａの底部から下方へ一体に延出している。また、突出ブロック３１４１Ａには溝３１４２Ａが設けられ、３つの突出ブロック３１４Ａにおける溝３１４２Ａは、同一の直線上に存在しており、第２の部分３１１Ａの側面に第３の噛合部３１６Ａが設けられ、側板３１Ａと隣接する側板に、第３の噛合部３１６Ａと対応する噛合構造がそれぞれ設けられている。これにより、扉３１が閉状態となった場合の強度が大幅に補強される。
【００６１】
図１４は、扉３１Ａが取り外された側板３Ａの斜視図であり、図１５は、図１４におけるＥ部分の拡大図である。図１４および図１５に示すように、側板３Ａには、扉３１Ａと対応するように開口３０Ａが設けられ、開口３０Ａの底部にヒンジ３２を嵌合するためのヒンジ穴３３が設けられ、開口３０Ａの両側に、第１の噛合部３１５Ａと噛み合う第１の噛合構造３４２Ａが設けられ、側板３Ａの上部（開口３０Ａの両側にある側板３Ａの上部）には、第２の噛合部３１４Ａと嵌め合う第２の噛合構造３４１Ａが設けられる。また、第２の噛合構造３４１Ａは、３つの凹部３４１１Ａを有し、各々の凹部３４１１Ａの中間部に仕切り板３４１２Ａが設けられ、３つの凹部３４１１Ａの仕切り板３４１２Ａは、同一の直線上に存在している。
【００６２】
また、図１６は、側板３Ａの部分断面図であり、図１７は、図１６におけるＦ部分の拡大図である。図１６および図１７に示すように、扉３１Ａが閉状態となった場合、突出ブロック３１４１Ａは凹部３４１１Ａ内に収納され、仕切り板３４１２Ａは溝３１４２Ａ内に収納される。
【００６３】
なお、第１の噛合部３１５Ａおよび第１の噛合構造３４２Ａの詳細については、第１の噛合部３１５および第１の噛合構造３４２と同様であるので、ここではその説明を省略する。
【００６４】
また、本実施例では、上記の実施例と比べて、扉がＴ字状の形状となっており、第２の部分３１１Ａの両端から第１の部分３１２Ａの両端への渡し部分が第１の実施例よりも急になっており、そして、第２の部分３１１Ａの底部が略直線上に位置し、かつ第１の部分３１２Ａの両端も略直線上に位置する点で異なっている。また、本実施例では、扉３１Ａの第２の部分３１４Ａの両端は、側板３Ａに接続されるものではなく、側板３Ａと隣接する側板に接続されている。
【００６５】
また、図１１に示すように、第２の部分３１１Ａの幅ｄ１は、第１の部分３１２Ａの幅ｄ２の１.２〜１.５倍であることが好ましい。このように構成することにより、第１の部分および第２の部分の強度を同時に保証することができる。
なお、本発明の実施例では、扉３１に第２の噛合部３１１が設けられ、扉３１Ａに第２の噛合部３１１Ａが設けられているが、扉３１に第２の噛合部３１１Ａが設けられ、扉３１Ａに第２の噛合部３１１が設けられてもよい。この場合、これと対応するように、側板３に第２の噛合構造３４１Ａが設けられ、側板３Ａに第２の噛合構造３４１が設けられるようにすればよい。また、勿論、扉の第２の部分の底部に別の形態の噛合部が設けられてもよく、第２の噛合部および第１の噛合部は同一の構造にもうけられてもよい。
【００６６】
また、本発明の上記実施例では、扉は、第２の部分および第１の部分を含んでいるが、扉は第１の部分のみを含むようにしてもよい。この場合、扉は上端から下端に向かうにつれて幅が小さくなるので、扉の左、右端壁に設けられる第１の噛合部が同一の直線上に位置しなくなるため、扉が折り畳み式容器内の貨物による押圧によって変形する場合、扉の変形の回転軸線が同一の直線上に位置しなくなるので、扉の強度が大幅に向上される。
【００６７】
勿論、扉は、第１の部分、第２の部分および第３の部分を含むようにしてもよい。この場合、第２の部分は、第１の部分よりも幅が大きく、第１の部分は、第３の部分よりも幅が大きく、そして、第２の部分、第１の部分および第３の部分にそれぞれ噛合部が設けられ、側板に当該噛合部と噛み合う噛合構造が設けらればよい。また、これらの噛合部および噛合構造は、同様な構造にしてもよく、異なる構造にしてもよい。また、扉は、第４、第５の部分などを含むようにしてもよい。
【００６８】
本発明の上記の２つの実施例では、１つの好ましい形態として、図４および図１１に示すように、第２の部分および第１の部分の高さは、第２の部分の高さｈ１が第１の部分の高さｈ２の１〜５９倍であるような関係を満足するようになっている。また、第１の部分の高さは、第２の部分の高さの１〜１１倍であることが好ましい。このように構成することにより、第２の部分が側板の両端近傍に延伸し、または、第２の部分が隣接する側板に接続されるように延伸する場合、第２の部分および第１の部分の強度が共に要求を満足できることを保証することができる。
【００６９】
また、本発明では、扉に第１の噛合部、第２の噛合部および第３の噛合部が設けられているが、第１の噛合部、第２の噛合部および第３の噛合部は、同一の構造に形成されてもよく、第１の噛合部と第２の噛合部、第１の噛合部と第３の噛合部、または第２の噛合部と第３の噛合部とは同一の構造に形成されてもよい。
【００７０】
以上に述べた２つの実施例では、扉の第１の部分の形状は台形または略台形となっているが、本発明における扉の第１の部分の形状を、例えば第１の部分の下端が弧形となるように形成してもよい。この場合、ヒンジ溝は、弧形の上部に形成される。
以上、本発明の好適な実施例を詳細に説明したが、当業者は、本発明の上記内容を閲読した後、本発明に対して様々な修正または変更を実施することができることは、当業者にとっては自明なことである。このような等価変更も本願の請求の範囲で限定する範囲に含まれるべきである。
【図１】
0006568297.tif 000002
【図２】
0006568297.tif 000003
【図３】
0006568297.tif 000004
【図４】
0006568297.tif 000005
【図５】
0006568297.tif 000006
【図６】
0006568297.tif 000007
【図６Ａ】
0006568297.tif 000008
【図７】
0006568297.tif 000009
【図８】
0006568297.tif 000010
【図９】
0006568297.tif 000011
【図１０】
0006568297.tif 000012
【図１１】
0006568297.tif 000013
【図１２】
0006568297.tif 000014
【図１３】
0006568297.tif 000015
【図１４】
0006568297.tif 000016
【図１５】
0006568297.tif 000017
【図１６】
0006568297.tif 000018
【図１７】
0006568297.tif 000019